(57)【特許請求の範囲】
【請求項１】
（１）乗客コンベアの手摺りベルトと、前記手摺りベルトの上方にある上床屋との交差により形成される狭角部、又は、（２）乗客コンベアの手摺りベルトと、前記手摺りベルトの上方にある他の乗客コンベアの底部との交差により形成される狭角部に吊り下げられたガード板と、
前記ガード板を支持する支持枠と、
前記ガード板に光を照射し、その反射光を受光するために前記支持枠に設けられた光センサと、
前記光センサが前記反射光を受光しない場合に前記ガード板が破損したと判断する判断部と、
を有し、
前記光センサからの照射光が、前記ガード板に当たるように、前記光センサは前記支持枠において内方に向いて設けられている、
乗客コンベア。
【請求項２】
前記光センサは、前記支持枠に所定間隔毎に複数設けられている、
請求項１に記載の乗客コンベア。
【請求項３】
前記判断部は、複数の前記光センサの中のどの前記光センサからの前記反射光を受光しないかで前記ガード板の破損状態を判断する、
請求項２に記載の乗客コンベア。
【請求項４】
前記支持枠は、前記ガード板の縦方向を支持する、
請求項１に記載の乗客コンベア。
【請求項５】
前記支持枠は、前記ガード板の横方向を支持する、
請求項１に記載の乗客コンベア。
【請求項６】
前記判断部は、前記光センサが照射した光が、前記ガード板に当たる前に他の物体からの前記反射光があった場合には警告を報知する、
請求項１に記載の乗客コンベア。
【請求項７】
前記判断部は、前記ガード板に破損があったと判断したときは破損判断信号を外部に送信する、
請求項１に記載の乗客コンベア。
【請求項８】
前記乗客コンベアが、エスカレータ、又は、動く歩道である、
請求項１に記載の乗客コンベア。
【発明の詳細な説明】
【技術分野】
【０００１】
本発明の実施形態は、乗客コンベアに関するものである。
【背景技術】
【０００２】
従来より、エスカレータの手摺りベルトと、手摺りベルトの上方にある上床屋との交差により形成される狭角部、又は、エスカレータの手摺りベルトと、手摺りベルトの上方にあるもう１台のエスカレータの底部との交差により形成される狭角部には、三角形状のガード板が吊り下げられている。このガード板は、乗客が手摺りから体を乗り出している場合に狭角部に体を挟まないようにするために、警告のために吊り下げられたものである。
【先行技術文献】
【特許文献】
【０００３】
【特許文献１】特開平３−１４１４９７号公報
【特許文献２】特開平９−００７０７６号公報
【特許文献３】特開平３−１４１４９７号公報
【発明の概要】
【発明が解決しようとする課題】
【０００４】
しかし、上記のようなガード板は合成樹脂板より形成されているため破損し易く、破損した場合には取り替える必要がある。ところが、このガード板の破損は、乗客コンベアの保守員が監視センターから現地に赴いてガード板の状態を見て判断する必要があって煩雑であるという問題点があった。
【０００５】
そこで、本発明の実施形態は、上記問題点に鑑み、ガード板の破損状態を簡単に判断できる乗客コンベアを提供することを目的とする。
【課題を解決するための手段】
【０００６】
本発明の実施形態は、（１）乗客コンベアの手摺りベルトと、前記手摺りベルトの上方にある上床屋との交差により形成される狭角部、又は、（２）乗客コンベアの手摺りベルトと、前記手摺りベルトの上方にある他の乗客コンベアの底部との交差により形成される狭角部に吊り下げられたガード板と、前記ガード板に光を照射し、その反射光を受光する光センサと、前記光センサが前記反射光を受光しない場合に前記ガード板が破損したと判断する判断部と、を有する乗客コンベアである。
【図面の簡単な説明】
【０００７】
【図１】本発明の実施形態を示すエスカレータの側面図。
【図２】ガード板の正面図。
【図３】ガード板の側面図。。
【図４】図１におけるＡ−Ａ線断面図。
【図５】ガード板の電気的構成を示すブロック図。
【図６】変更例３のガード板の正面図。
【図７】変更例４のガード板の正面図。
【図８】変更例５のガード板の正面図。
【発明を実施するための形態】
【０００８】
以下、本発明の実施形態の乗客コンベアについて図１〜図５に基づいて説明する。本実施形態では、乗客コンベアとしてエスカレータ１０で説明する。
【０００９】
本発明の実施形態は、（１）乗客コンベアの手摺りベルトと、前記手摺りベルトの上方にある上床屋との交差により形成される狭角部、又は、（２）乗客コンベアの手摺りベルトと、前記手摺りベルトの上方にある他の乗客コンベアの底部との交差により形成される狭角部に吊り下げられたガード板と、前記ガード板を支持する支持枠と、前記ガード板に光を照射し、その反射光を受光するために前記支持枠に設けられた光センサと、前記光センサが前記反射光を受光しない場合に前記ガード板が破損したと判断する判断部と、を有し、前記光センサからの照射光が、前記ガード板に当たるように、前記光センサは前記支持枠において内方に向いて設けられている、乗客コンベアである。
【００１０】
建屋１の上階２の上床部４と、エスカレータ１０の手摺りベルト１６の間には三角形状の狭角部５が形成され、この狭角部５には、ほぼ三角形状の透明なガード板２２が吊り下げ具２８，３０によって吊り下げられている。
【００１１】
（２）ガード板２２の構造
次に、ガード板２２の構造について図２〜図４に基づいて説明する。なお、図３，図４において「内側」とは、エスカレータ１０の欄干１４の内側、すなわち、乗客が乗る側を示し、外側とは欄干１４の外側を示す。
【００１２】
ガード板２２の正面形状は、三角形状を一部切り欠いた四角形である。ガード板２２は、透明板であって、アクリルなどの合成樹脂板より形成されている。四角形のガード板２２は、上階側（図２の右側）にある狭い縦辺２２ａ、傾斜辺２２ｂ、下階側（図２の左側）にある広い縦辺２２ｃ、上横辺２２ｄよりなる。
【００１３】
ガード板２２の上横辺２２ｄには、横方向に沿って板状の横支持枠２４が設けられている。この横支持枠２４は、合成樹脂製の板であって、ガード板２２の上横辺２２ｄを挟持している。横支持枠２４には、板状の吊り下げ具２８、３０が取り付けられ、この吊り下げ具２８は、上階２の上床部４から吊り下げられている。
【００１４】
ガード板２２の広い縦辺２２ｃには、縦支持枠２６が取り付けられている。この縦支持枠２６は、図４の横断面図に示すように円柱型であり、一部が縦方向に切り欠かれ、ガード板２２の広い縦辺２２ｃを挟持している。
【００１５】
縦支持枠２６の内部には、光センサ３２と光センサ３４が、所定間隔を置いて上下２段に設けられている。光センサ３２，３４は、反射型の光センサであり、図２〜図４に示すように光センサ３２，３４からの照射光は、ガード板２２の内側の面の一点に当たるように、やや内方に向いて設けられ、ガード板２２からの反射光は、光センサ３２，３４の受光部で受光する。光センサ３２，３４は、ガード板２２からの反射光がない場合には、非検出信号を出力する。なお、照射光は、１点ではなくある程度幅広い範囲でガード板２２に当ててもよい。
【００１６】
光センサ３２，３４から延びた接続コード３６，３８は縦支持枠２６内部を通って横支持枠２４に至り、吊り下げ具２８に至る。
【００１７】
（４）ガード板２２の電気的構成
次に、ガード板２２の電気的構成について図５に基づいて説明する。
【００１８】
ガード板２２の光センサ３２，３４から延びた接続コード３６，３８は、判断部４０に接続されている。判断部４０は、光センサ３２，３４から出力された非検出信号に基づいて、ガード板２２の破損状態を判断する。判断部４０は、制御装置２０に接続され、制御装置２０には、外部にある監視センターと通信するための通信部４２が設けられている。
【００１９】
（５）判断部４０の動作状態
次に、判断部４０の動作状態について図２〜図５に基づいて説明する。
【００２０】
まず、ガード板２２が正常な状態のときには、図２〜図４に示すように、光センサ３２，３４からの照射光はアクリル製のガード板２２の内側の面によって反射され、光センサ３２，３４の受光部で反射光が受光される。そのため、光センサ３２，３４は、判断部４０に非検出信号は出力しない。
【００２１】
次に、ガード板２２の下半分が何らかの理由で破損した場合には、上段の光センサ３２は、反射光を受光するが、下段の光センサ３４は反射光を受光しないため、光センサ３４は非検出信号を判断部４０に出力する。
【００２２】
判断部４０は、下段の光センサ３４からのみ非検出信号が入力したため、ガード板２２の下部が破損したと判断する。判断部４０は、制御装置２０の通信部４２を介して、外部にある監視センターに、ガード板２２の下半分が破損したことを示す破壊検出信号を送信する。
【００２３】
監視センターでは、その破壊検出信号を受信すると、保守員は次の点検時にガード板２２を準備して交換する。
【００２４】
次に、ガード板２２の殆どの部分が何らかの理由で破損した場合には、上段の光センサ３２と下段の光センサ３４が共に反射光を受光できないため、光センサ３２，３４は非検出信号を判断部４０に共に出力する。
【００２５】
判断部４０は、光センサ３２，３４から非検出信号が入力したため、ガード板２２の殆どが破損したと判断する。そのため、判断部４０は、ガード板２２が殆ど破損したことを示す破壊検出信号を通信部４２を介して監視センターに送信する。
【００２６】
監視センターでは、その破損検出信号を受信すると、保守員は新しいガード板２２を持ってすぐに交換をしにいく。
【００２７】
（４）効果
本実施形態によれば、判断部３８は、ガード板２２の破損状態に応じた破損判断信号を監視センターに出力するため、監視センターの保守員は、その破損判断信号を受信するだけでガード板２２の破損状態を一目で判断できる。
【００２８】
また、ガード板２２の縦支持枠２６内部に光センサ３２，３４が設けられているため、ガード板２２の意匠を損なうことがない。
【００２９】
また、ガード板２２は横支持枠２４と縦支持枠２６によって支持されているため、ガード板２２が撓んだりしない。
【変更例】
【００３０】
次に、上記実施形態の変更例について説明する。
【００３１】
（１）変更例１
上記実施形態では、光センサ３２，３４が反射光を受光するか否かでガード板２２が破損したか否かを判断したが、これに加えて、光センサ３２，３４が人間の手などによって、ガード板２２に当たる前に反射光を手に反射して受光した場合には警告信号を判断部４０に出力する。判断部４０では、警告信号が入力すると不図示のスピーカから警告音や「ガード板に手を近づけないでください」などの警告を行う。
【００３２】
さらに、詳しく説明すると、光センサ３２，３４は、図３及び図４に示すようにガード板２２の内側の面を照射しているため、エスカレータ１０に乗っている状態で乗客が手を伸ばしても照射光を遮断することがある。そのため、光センサ３２，３４は、照射光がガード板２２に当たって反射してくる距離と、手に当たって反射してくる距離との差を検出し、光センサ３２，３４は、手に当たって反射してくる距離であることを検出した場合には警告信号を判断部４０に出力する。
【００３３】
（２）変更例２
上記実施形態では、縦支持枠２６に２つの光センサ３２，３４を設けたが、これに代えて１個の光センサ又は３個以上の光センサを設けてもよい。
【００３４】
（３）変更例３
上記実施形態では、縦支持枠２６に光センサ３２，３４を設けたが、これに代えて図６に示すように横支持枠２４に反射型の光センサ４４，４６を設け、下方に向かって光を照射し、ガード板２２からの反射光を受光してもよい。
【００３５】
（４）変更例４
また、図７に示すように縦支持枠２６と横支持枠２４にそれぞれ光センサ３２，３４と光センサ４４，４６を設けることにより、どの光センサから非検出信号が出力されたかによって、ガード板２２のどの位置が破損したかを判断部４０が判断できるようにしてもよい。これにより、判断部４０は、その破損位置をより正確に監視センターに出力できる。
【００３６】
例えば、光センサ３４と光センサ４４から非検出信号が出力された場合には、判断部４０はガード板２２の左下部が破損したと判断でき、また、光センサ４６と光センサ３４とから非検出信号が出力された場合には、ガード板２２の右側の部分が破損したと判断できる。
【００３７】
（５）変更例５
上記実施形態や変更例３では、ガード板２２の横支持枠２４や縦支持枠２６に光センサを設けたが、これに代えて光センサ４８，５０を上床部４に取り付け、照射光を下向きに照射する。これによって、ガード板２２が何らかの理由によって外れて落下した場合でも、光センサ４８，５０が非検出信号を出力することにより、判断部４０がガード板２２が破損又は紛失したことを判断できる。
【００３８】
（６）変更例６
上記実施形態では、光センサ３２，３４は、反射光が受光できないときのみ非検出信号を出力していたが、これに加えて光センサ３２，３４が判断部４０と接続されている場合には常に接続信号を出力しておく。すると、何らかの理由でガード板２２が外れて落下した場合には、光センサ３２，３４も同時に落下するため、光センサ３２，３４からの接続信号が途切れ、判断部４０はガード板２２が落下したことを判断でき、その旨を監視センターに出力できる。
【００３９】
（７）変更例７
上記実施形態では、エスカレータ１０の手摺りベルト１６と上床部４の狭角部５に吊り下げられたガード板２２で説明したが、これに代えて、２台のエスカレータ１０が交差するように配され、１台のエスカレータ１０の手摺りベルト１６と手摺りベルトの上方にある他のエスカレータ１０の底部との交差により形成される狭角部５に配されたガード板２２に光センサを設けてもよい。
【００４０】
（８）変更例８
上記実施形態では、ガード板２２三角形を切り欠いたは四角形であったが、これに限らず三角形、三角形を切り欠いた五角形などでもよい。
【００４１】
（９）変更例９
上記実施形態では、エスカレータ１０で説明したが、これに代えて動く歩道でも適用してもよい。  
（１０）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
２４・・・横支持枠、２６・・・縦支持枠、２８・・・吊り下げ部、３０・・・吊り下げ部、３２・・・光センサ、３４・・・光センサ、４０・・・判断部、４２・・・通信部
【図１】
0005886349.tif 000002
【図２】
0005886349.tif 000003
【図３】
0005886349.tif 000004
【図４】
0005886349.tif 000005
【図５】
0005886349.tif 000006
【図６】
0005886349.tif 000007
【図７】
0005886349.tif 000008
【図８】
0005886349.tif 000009